【手続補正書】
【提出日】平成15年11月19日(2003.11.19)
【手続補正１】
【補正対象書類名】明細書
【補正対象項目名】全文
【補正方法】変更
【補正の内容】
【発明の名称】走行玩具、走行玩具装置及び走行玩具の追越方法
【特許請求の範囲】
【請求項１】下記の要件を備えたことを特徴とする走行玩具。
（イ）本体には、一対の駆動輪と、当該駆動輪を駆動する動力手段が設けられていること。
（ロ）一つの走行路内で、他の走行玩具と接触させながら競争させることができるようになっていること。
（ハ）一つの走行路内で速い走行玩具が遅い走行玩具に追いついて追い抜くとき、速い走行玩具は遅い走行玩具の側方に誘導されるようになっていること。
【請求項２】下記の要件を備えたことを特徴とする走行玩具。
（イ）本体には、一対の駆動輪と、当該駆動輪を駆動する動力手段が設けられていること。
（ロ）一つの走行路内で、他の走行玩具と接触させながら競争させることができるようになっていること。
（ハ）一つの走行路内で速い走行玩具が遅い走行玩具に追いついて追い抜くとき、遅い走行玩具の側方に早い走行玩具を誘導するようになっていること。
【請求項３】キャスター効果を持った前輪部を有しており、遅い走行玩具に追いついて当該遅い走行玩具の後部に前部が衝突した際、前記キャスター効果により前部が左右何れかに向かい、追い抜きがスムーズになっていることを特徴とする請求項１または２記載の走行玩具。
【請求項４】下記の要件を備えたことを特徴とする請求項１乃至３記載の走行玩具。
（イ）本体先端から両側が後方に向かって傾斜していること。
（ロ）本体後端から両側が前方に向かって傾斜していること。
【請求項５】ボディが流線型に形成されていることを特徴とする請求項１乃至４記載の走行玩具。
【請求項６】前輪および後輪はカバーされており、早い走行玩具が遅い走行玩具をスムーズに追い越すことができるようになっていることを特徴とする請求項１乃至５記載の走行玩具。
【請求項７】下記の要件を備えたことを特徴とする請求項１乃至６記載の走行玩具。
（イ）一対の駆動輪は、これの略中央に形成された取付穴が、駆動軸の両端に設けられた取付ドラムに隙間を介して取り付けられており、駆動軸は動力手段に連係されていること。
（ロ）取付ドラムには第１の係合部が形成され、駆動輪の取付穴には第１の係合部と係合する第２の係合部が形成されており、取付ドラムの第１の係合部が駆動輪の第２の係合部に係合して、動力手段の動力が駆動輪に伝達されるようになっていること。
【請求項８】駆動輪が前輪であって、遊動輪が後輪であることを特徴とする請求項１乃至７記載の走行玩具。
【請求項９】２以上の走行玩具と当該走行玩具が走行する走行路とから構成され、
前記走行玩具は、各々遊動輪と駆動輪と当該駆動輪を駆動する動力手段とが設けられた枠体と、当該枠体に取付可能なボディであって前記枠体に取り付けることにより前記枠体と前記遊動輪と前記駆動輪を覆い、前部が他方の走行玩具の後部と接触することにより該他方の走行玩具の側方に誘導されるように湾曲しており、後部が他方の走行玩具のボディの前部と接触することにより該他方の走行玩具のボディ前部を側方へ誘導するように湾曲している前記ボディとを有し、
前記走行路は、少なくとも一部が湾曲した内壁を有し、当該内壁内は２以上の前記走行玩具が並走し追越可能となる幅に形成されていることを特徴とする走行玩具装置。
【請求項１０】前記ボディの前部は前記枠体前部に設けられ湾曲した前バンパーにより構成され、前記ボディの後部は前記枠体後部に設けられ湾曲した後バンパーにより構成されていることを特徴とする請求項９記載の走行玩具装置。
【請求項１１】２以上の走行玩具であって、各々遊動輪と駆動輪と当該駆動輪を駆動する動力手段とが設けられた枠体と、前記枠体に取付可能なボディであって、前記枠体に取り付けることにより前記枠体と前記遊動輪と前記駆動輪を覆い、前部が他方の走行玩具のボディの後部と接触することにより該他方の走行玩具の側方に誘導されるように湾曲しており、後部が他方の走行玩具のボディの前部と接触することにより該他方の走行玩具のボディの前部を側方へ誘導するように湾曲している前記ボディとからなる前記２以上の走行玩具の、少なくとも一部が湾曲した内壁を有し当該内壁内は２以上の前記走行玩具が並走し追越可能となる幅に形成されている走行路における以下の工程からなる走行玩具の追越方法。
（イ）前記２以上の走行玩具が前記走行路を走行中に一方の走行玩具のボディの前部が他方の走行玩具のボディの後部に接触する接触工程と、
（ロ）前記接触工程により、前記一方の走行玩具のボディの前部が前記他方の走行玩具のボディの後部と接触しつつ前記他方の走行玩具の側方に誘導される誘導工程と、
（ハ）前記誘導工程ののち、前記一方の走行玩具が、前記他方の走行玩具の側方を通過することにより前記他方の走行玩具を追い越す追越工程。
【請求項１２】前記走行玩具のボディの前部は湾曲した前バンパーにより構成され、前記走行玩具のボディの後部は湾曲した後バンパーにより構成されており、
前記接触工程は、前記一方の走行玩具の前バンパーが前記他方の走行玩具の後バンパーに接触するものであり、
前記誘導工程は、前記一方の走行玩具の前バンパーが前記他方の走行玩具の後バンパーと接触しつつ前記他方の走行玩具の側方に誘導されるものであることを特徴とする請求項１１記載の走行玩具の追越方法。
【発明の詳細な説明】
【０００１】
【産業上の利用分野】
本発明は、一つの走行路内で競争させることができる走行玩具と、その走行玩具の走行に適した走行路に関するものである。
【０００２】
【従来の技術】
従来の走行玩具は、駆動モータによって駆動させられる一対の前輪と一対の後輪を備え、前部及び後部の両側にガイドローラが設けられていた。また、前記従来の走行玩具を走行させる走行路は、複数の仕切壁によって仕切られていた。従来の走行玩具は、この仕切壁によって仕切られた各走行路にそれぞれ配置され、駆動モータを駆動して走行させると、他の走行玩具と接触することなく走行し、ガイドローラが仕切壁に接触するので、走行路に沿って滑らかに走行する。
【０００３】
【発明が解決しようとする課題】
従来の走行玩具は、仕切壁によって仕切られた走行路でしか競争させることができないので、本物の自動車レースのように互いに接触しながら抜きつ抜かれつするような競争をさせることができず、リアル感に乏しいとう問題点があった。従来の走行玩具を一つの走行路内で走らせると、速い走行玩具が遅い走行玩具の後ろにくっついて団子状態となり、速い走行玩具が遅い走行玩具を追い抜くことができない。
【０００４】
本願発明は、上記問題点に鑑み案出したものであって、本物の自動車レースのように、一つの走行路内で他の走行玩具と接触しながら競争させることができる、従来にないリアルな走行をさせることができる走行玩具を提供することを第１の課題とする。また、上記走行玩具に適した走行路を提供することを第２の課題とする。
【０００５】
【課題を解決するための手段】
上記課題を達成するため、請求項１記載の走行玩具は、下記の要件を備えたことを特徴とする。すなわち、
（イ）本体には、一対の駆動輪と、当該駆動輪を駆動する動力手段が設けられていること。
（ロ）一つの走行路内で、他の走行玩具と接触させながら競争させることができるようになっていること。
（ハ）一つの走行路内で速い走行玩具が遅い走行玩具に追いついて追い抜くとき、速い走行玩具は遅い走行玩具の側方に誘導されるようになっていること。
【０００６】
また、請求項２記載の走行玩具は、下記の要件を備えたことを特徴とする。すなわち、（イ）本体には、一対の駆動輪と、当該駆動輪を駆動する動力手段が設けられていること。
（ロ）一つの走行路内で、他の走行玩具と接触させながら競争させることができるようになっていること。
（ハ）一つの走行路内で速い走行玩具が遅い走行玩具に追いついて追い抜くとき、遅い走行玩具の側方に早い走行玩具を誘導するようになっていること。
【０００７】
また、請求項３記載の走行玩具は、次の要件を備えたことを特徴とする。すなわち、請求項１または２記載の走行玩具であって、キャスター効果を持った前輪部を有しており、遅い走行玩具に追いついて当該遅い走行玩具の後部に前部が衝突した際、前記キャスター効果により前部が左右何れかに向かい、追い抜きがスムーズになっていること。
【０００８】
また、請求項４記載の走行玩具は、下記の要件を備えたことを特徴とする。すなわち、請求項１乃至３記載の走行玩具であって、
（イ）本体先端から両側が後方に向かって傾斜していること。
（ロ）本体後端から両側が前方に向かって傾斜していること。
【０００９】
また、請求項５記載の走行玩具は、次の要件を備えたことを特徴とする。すなわち、請求項１乃至４記載の走行玩具であって、ボディは流線型に形成されていること。
【００１０】
また、請求項６記載の走行玩具は、次の要件を備えたことを特徴とする。すなわち、請求項１乃至５記載の走行玩具であって、前輪および後輪はカバーされており、早い走行玩具が遅い走行玩具をスムーズに追い越すことができるようになっていること。
【００１１】
また、請求項７記載の走行玩具は、次の要件を備えたことを特徴とする。すなわち、請求項１乃至６記載の走行玩具であって、
（イ）一対の駆動輪は、これの略中央に形成された取付穴が、駆動軸の両端に設けられた取付ドラムに隙間を介して取り付けられており、駆動軸は動力手段に連係されていること。
（ロ）取付ドラムには第１の係合部が形成され、駆動輪の取付穴には第１の係合部と係合する第２の係合部が形成されており、取付ドラムの第１の係合部が駆動輪の第２の係合部に係合して、動力手段の動力が駆動輪に伝達されるようになっていること。
【００１２】
また、請求項８記載の走行玩具は、次の要件を備えたことを特徴とする。すなわち、請求項１乃至７記載の走行玩具であって、駆動輪が前輪であって、遊動輪が後輪であること。
【００１３】
また、請求項９記載の走行玩具装置は、下記の要件を備えたことを特徴とする。すなわち、２以上の走行玩具と当該走行玩具が走行する走行路とから構成され、
前記走行玩具は、各々遊動輪と駆動輪と当該駆動輪を駆動する動力手段とが設けられた枠体と、当該枠体に取付可能なボディであって前記枠体に取り付けることにより前記枠体と前記遊動輪と前記駆動輪を覆い、前部が他方の走行玩具の後部と接触することにより該他方の走行玩具の側方に誘導されるように湾曲しており、後部が他方の走行玩具のボディの前部と接触することにより該他方の走行玩具のボディ前部を側方へ誘導するように湾曲している前記ボディとを有し、
前記走行路は、少なくとも一部が湾曲した内壁を有し、当該内壁内は２以上の前記走行玩具が並走し追越可能となる幅に形成されていることを特徴とする走行玩具装置。
【００１４】
また、請求項１０記載の走行玩具装置は、下記の要件を備えたことを特徴とする。すなわち、請求項９記載の走行玩具装置であって、前記ボディの前部は前記枠体前部に設けられ湾曲した前バンパーにより構成され、前記ボディの後部は前記枠体後部に設けられ湾曲した後バンパーにより構成されている。
【００１５】
また、請求項１１記載の走行玩具の追越方法は、下記の工程を備えたことを特徴とする。すなわち、２以上の走行玩具であって、各々遊動輪と駆動輪と当該駆動輪を駆動する動力手段とが設けられた枠体と、前記枠体に取付可能なボディであって、前記枠体に取り付けることにより前記枠体と前記遊動輪と前記駆動輪を覆い、前部が他方の走行玩具のボディの後部と接触することにより該他方の走行玩具の側方に誘導されるように湾曲しており、後部が他方の走行玩具のボディの前部と接触することにより該他方の走行玩具のボディの前部を側方へ誘導するように湾曲している前記ボディとからなる前記２以上の走行玩具の、少なくとも一部が湾曲した内壁を有し当該内壁内は２以上の前記走行玩具が並走し追越可能となる幅に形成されている走行路における以下の工程からなる。
（イ）前記２以上の走行玩具が前記走行路を走行中に一方の走行玩具のボディの前部が他方の走行玩具のボディの後部に接触する接触工程と、
（ロ）前記接触工程により、前記一方の走行玩具のボディの前部が前記他方の走行玩具のボディの後部と接触しつつ前記他方の走行玩具の側方に誘導される誘導工程と、
（ハ）前記誘導工程ののち、前記一方の走行玩具が、前記他方の走行玩具の側方を通過することにより前記他方の走行玩具を追い越す追越工程。
【００１６】
また、請求項１２記載の走行玩具の追越方法は、下記の工程を備えたことを特徴とする
。すなわち、請求項１１記載の走行玩具の追越方法であって、前記走行玩具のボディの前部は湾曲した前バンパーにより構成され、前記走行玩具のボディの後部は湾曲した後バンパーにより構成されており、
前記接触工程は、前記一方の走行玩具の前バンパーが前記他方の走行玩具の後バンパーに接触するものであり、
前記誘導工程は、前記一方の走行玩具の前バンパーが前記他方の走行玩具の後バンパーと接触しつつ前記他方の走行玩具の側方に誘導されるものである。
【００１７】
【発明の実施の形態】
本願各請求項の発明の実施の形態を図１乃至図１６に基づいて説明する。図１は、走行玩具の一部断面にした側面図である。図２は、図１の平面図である。図３は、図１の正面図である。図４は、ボディを外した走行玩具の平面図である。図５は、図４の分解平面図である。図６は、要部裏面図である。図７は、図４の側面図である。図８は、駆動輪の要部斜視図である。図９は、図８の断面図である。図１０は、駆動輪の動きを説明する説明図である。図１１は、走行路の平面図である。図１２は、走行路の正面図である。図１３は、走行路の要部側面図である。図１４乃至図１６は、走行玩具の走行状態を説明する説明図である。
【００１８】
請求項１記載の走行玩具１は、本体２に、一対の駆動輪３０，３０と、当該駆動輪３０，３０を駆動する動力手段１１が設けられている。一つの走行路１００内で、他の走行玩具１と接触させながら競争させることができるようになっている。一つの走行路１００内で速い走行玩具１が遅い走行玩具１に追いついて追い抜くとき、速い走行玩具１は遅い走行玩具１の側方に誘導されるようになっている。
【００１９】
請求項２記載の走行玩具１は、本体２に、一対の駆動輪３０，３０と、当該駆動輪３０，３０を駆動する動力手段１１が設けられている。一つの走行路１００内で、他の走行玩具１と接触させながら競争させることができるようになっている。一つの走行路１００内で速い走行玩具１が遅い走行玩具１に追いついて追い抜くとき、遅い走行玩具１の側方に早い走行玩具１を誘導するようになっている。
【００２０】
請求項３記載の走行玩具１は、キャスター効果を持った前輪部３０，３０を有しており、遅い走行玩具１に追いついて当該遅い走行玩具１の後部に前部が衝突した際、前記キャスター効果により前部が左右何れかに向かい、追い抜きがスムーズになっている。
【００２１】
請求項４記載の走行玩具１は、本体２先端から両側が後方に向かって傾斜し、本体２後端から両側が前方に向かって傾斜している。
【００２２】
請求項５記載の走行玩具１は、ボディ３が流線型に形成されている。
【００２３】
請求項６記載の走行玩具１は、前輪３０，３０および後輪４７，４７がカバーされており、早い走行玩具１が遅い走行玩具１をスムーズに追い越すことができるようになっている。
【００２４】
請求項７記載の走行玩具１は、一対の駆動輪３０，３０の略中央に形成された取付穴４３，４３が、駆動軸２５の両端に設けられた取付ドラム３１，３１に隙間を介して取り付けられており、駆動軸２５は動力手段１１に連係されている。取付ドラム３１，３１には第１の係合部３９・・・が形成され、駆動輪３０，３０の取付穴４３，４３には第１の係合部３９・・・と係合する第２の係合部４５・・・が形成されており、取付ドラム３１，３１の第１の係合部３９・・が駆動輪３０，３０の第２の係合部４５・・・に係合して、動力手段１１の動力が駆動輪３０，３０に伝達されるようになっている。
【００２５】
上記走行玩具１は、一対の駆動輪３０，３０が一対の取付ドラム３１，３１に対して僅かに揺動するため、キャスター効果を有し、図１１の直線コース１０１から曲線バンクコース１０５に移動すると、一対の駆動輪３０，３０が僅かに内側に傾き、曲線バンクコース１０５を飛び出すことなく安定して走行することができる。
【００２６】
請求項８記載の走行玩具１は、駆動輪３０，３０が前輪であって、遊動輪４７，４７が後輪であるから、操向性が向上する。
【００２７】
請求項９記載の走行玩具装置は、２以上の走行玩具１と当該走行玩具１が走行する走行路１００とから構成されている。前記走行玩具１は、各々遊動輪４７，４７と駆動輪３０，３０と当該駆動輪３０，３０を駆動する動力手段１１とが設けられた枠体２と、当該枠体２に取付可能なボディ３であって前記枠体２に取り付けることにより前記枠体２と前記遊動輪４７，４７と前記駆動輪３０，３０を覆い、前部が他方の走行玩具１の後部と接触することにより該他方の走行玩具１の側方に誘導されるように湾曲しており、後部が他方の走行玩具１のボディ３の前部と接触することにより該他方の走行玩具１のボディ３前部を側方へ誘導するように湾曲している前記ボディ３とを有する。前記走行路１００は、少なくとも一部が湾曲した内壁１０３，１０４を有し、当該内壁１０３，１０４内は２以上の前記走行玩具１が並走し追越可能となる幅に形成されている。
【００２８】
請求項１０記載の走行玩具装置は、前記ボディ３の前部は前記枠体２前部に設けられ湾曲した前バンパー５０により構成され、前記ボディ３の後部は前記枠体２後部に設けられ湾曲した後バンパー８０により構成されている。
【００２９】
請求項１１記載の走行玩具の追越方法は、２以上の走行玩具１であって、各々遊動輪４７，４７と駆動輪３０，３０と当該駆動輪３０，３０を駆動する動力手段１１とが設けられた枠体２と、前記枠体２に取付可能なボディ３であって、前記枠体２に取り付けることにより前記枠体２と前記遊動輪４７，４７と前記駆動輪３０，３０を覆い、前部が他方の走行玩具１のボディ３の後部と接触することにより該他方の走行玩具１の側方に誘導されるように湾曲しており、後部が他方の走行玩具１のボディ３の前部と接触することにより該他方の走行玩具１のボディ３の前部を側方へ誘導するように湾曲している前記ボディ３とからなる前記２以上の走行玩具１の、少なくとも一部が湾曲した内壁１０３，１０４を有し当該内壁１０３，１０４内は２以上の前記走行玩具１が並走し追越可能となる幅に形成されている走行路１００における以下の工程からなる。（イ）前記２以上の走行玩具１が前記走行路１００を走行中に一方の走行玩具１のボディ３の前部が他方の走行玩具１のボディ３の後部に接触する接触工程。（ロ）前記接触工程により、前記一方の走行玩具１のボディ３の前部が前記他方の走行玩具１のボディ３の後部と接触しつつ前記他方の走行玩具１の側方に誘導される誘導工程。（ハ）前記誘導工程ののち、前記一方の走行玩具１が、前記他方の走行玩具１の側方を通過することにより前記他方の走行玩具１を追い越す追越工程。
【００３０】
請求項１２記載の走行玩具の追越方法は、前記走行玩具１のボディ３の前部は湾曲した前バンパー５０により構成され、前記走行玩具１のボディ３の後部は湾曲した後バンパー８０により構成されており、前記接触工程は、前記一方の走行玩具１の前バンパー５０が前記他方の走行玩具１の後バンパー８０に接触するものであり、前記誘導工程は、前記一方の走行玩具１の前バンパー５０が前記他方の走行玩具１の後バンパー８０と接触しつつ前記他方の走行玩具１の側方に誘導されるものである。
【００３１】
走行玩具１は、本体２に一対の前輪３０，３０と一対の後輪４７，４７が回動自在に設けられ、一対の前輪３０，３０若しくは一対の後輪４７，４７、又は一対の前輪３０，３
０及び一対の後輪４７，４７を駆動する動力手段１１が設けられている。本体２の前部略中央部には、本体２から突出するガイド輪６０が回動自在に設けられている。本体２の後部には、他の走行玩具１の前記ガイド輪６０と接触する湾曲した後バンパー８０が設けられている。
【００３２】
上記走行玩具１は、動力手段１１を駆動すると、一対の前輪３０，３０若しくは一対の後輪４７，４７、又は一対の前輪３０，３０及び一対の後輪４７，４７が回転して走行する。この走行玩具１は、同一走行路内で互いに接触しながら競争させることができ、図１４乃至図１６に示すように、速い走行玩具１Ａが遅い走行玩具１Ｂに追いついて追い抜くとき、速い走行玩具１Ａのガイド輪６０が遅い走行玩具１Ｂの後バンパー８０に接触する。後バンパー８０が湾曲しているので、速い走行玩具１Ａはこのガイド輪６０によって遅い走行玩具１Ｂの側方に誘導され、側方から遅い走行玩具１Ｂを追い抜くことができる。
【００３３】
走行玩具１は、本体２に一対の駆動輪３０，３０と一対の遊動輪４７，４７が回動自在に設けられ、一対の駆動輪３０，３０を駆動する動力手段１１が設けられている。本体２の前部略中央部には、本体２から突出するガイド輪６０が回動自在に設けられている。本体２の後部には、他の走行玩具１の前記ガイド輪６０と接触する湾曲した後バンパー８０が設けられている。
【００３４】
上記走行玩具１は、動力手段１１を駆動すると、一対の駆動輪３０，３０が回転して走行する。この走行玩具１は、同一走行路内で互いに接触しながら競争させることができ同一走行路内で互いに接触しながら競争させることができ、図１４乃至図１６に示すように、速い走行玩具１Ａが遅い走行玩具１Ｂに追いついて追い抜くとき、速い走行玩具１Ａのガイド輪６０が遅い走行玩具１Ｂの後バンパー８０に接触する。後バンパー８０が湾曲しているので、速い走行玩具１Ａはこのガイド輪６０によって遅い走行玩具１Ｂの側方に誘導され、側方から遅い走行玩具１Ｂを追い抜くことができる。
【００３５】
走行路１００は、平らな走行面１０２と、走行面１０２の両側に設けられた側壁１０３，１０４とからなる。走行面１０２は、前記走行玩具１が２台並んで走行することができる程度の幅を有する。側壁１０３，１０４は、湾曲しており、走行玩具１が走行面１０２からそのまま走行できるように走行面１０２の両端に連接されている。
【００３６】
上記走行路１００は、走行面１０２が前記走行玩具１を２台並んで走行させることができるので、速い走行玩具１が遅い走行玩具１の後ろについて団子状態になることがなく、スムーズに抜き去ることができる。
【００３７】
【実施例】
以下、走行玩具の一実施例を図１乃至図１０に基づいて説明する。走行玩具１は、図１に示すように、枠体（本体）２と、枠体２の上部に取り付けられるボディ３とで構成されている。枠体２は、図７に示すように、上枠体５と下枠体７とからなり、上枠体５と下枠体７がネジ９によって一体的に接合されて組み立てられる（図４参照）。下枠体７内は、図５に示すように、前後に駆動モータ収容室１０と電池収容室１５が一対の係止突起１８，１９によって仕切られて形成されている。駆動モータ収容室１０には、駆動モータ（動力手段）１１が取り付けられている。
【００３８】
電池収容室１５には、電池１３が収容されている。電池収容室１５の前部の一対の係止突起１８，１９には、電池１３のプラス端子と接触する導電片１７が取り付けられている。電池収容室１５の後壁１６には、電池１３のマイナス端子と接触する導電スプリング２０を備えた導電片２１が取り付けられている。
【００３９】
駆動モータ１１と電池１３は導電線により電気的に接続されており、駆動モータ１１と電池１３の間にスイッチ２２が設けられている。このスイッチ２２は、後記後バンパー８０に固定されている。このように、駆動モータ１１と、電池１３と、スイッチ２２は道電線によって電気的に接続されており、スイッチ２２をＯＮにすると、駆動モータ１１は回転し、スイッチ２２をＯＦＦにすると駆動モータ１１は回転を停止する。
【００４０】
下枠体７の前部には、前駆動軸２５が回動自在に設けられており、前駆動軸２５の両端に前駆動輪３０，３０が取り付けられている。前駆動輪３０は、図８，９に示すように、前駆動軸２５の端部に固定される取付ドラム３１に隙間を介して取り付けられるホイール３２と、ホイール３２に取り付けられるゴムタイヤ３３とで構成されている。
【００４１】
取付ドラム３１は、回転胴３５と、回転胴３５の基端に設けられたストッパー３６と、回転胴３５の先端に設けられた回転円板３７とからなり、回転円板３７の円周面４ヶ所に矩形状の係合凸部３９が突設されている。
【００４２】
ホイール３２は、円形の側壁４１と、側壁４１の周縁に形成された環状壁４２とからなり、側壁４１の略中央に回転胴３５を遊嵌する孔４０が形成されている。環状壁４２の内側は、回転円板３７を遊嵌する取付穴４３が形成されている。取付穴４３の周面４ヶ所には、前記係合凸部３９を遊嵌する矩形状の係合凹部４５が形成されている。ホイール３２は、側壁４１がストッパー３６と回転円板３７間に位置しているため、取付ドラム３１から外れない。
【００４３】
ホイール３２の環状壁４２周面には、係止突起４６が環状に突設されている。ゴムタイヤ３３は、ホイール３２の環状壁４２周面に嵌着されており、ゴムタイヤ３３内側に形成された係止凹部３４がホイール３２の係止突起４６に係止されている。このように、ホイール３２は、取付ドラム３１に隙間を介して取り付けられているので、図１０に示すように、その隙間により多少揺動する。
【００４４】
前駆動軸２５には、クラウン歯車２６が固定して取り付けられている。このクラウン歯車２６は、前記駆動モータ１１の駆動軸に取り付けられた小歯車１２と噛み合っている。下枠体７の後部には、後遊動輪４７，４７が回動自在に取り付けられた車軸４９，４９が取り付けられている。前駆動軸２５及び車軸４９，４９は、下枠体７に上枠体５がネジ９によって固定されることによって、下枠体７と上枠体５で支持される。
【００４５】
枠体（本体）２の前部には、湾曲した前バンパー５０が設けられている。前バンパー５０は、一体成形によって形成されており、略Ｕ字状に形成された一対の取付アーム５１，５２と、取付アーム５１，５２の前端に接続されたガード部材５３とからなっている。ガード部材５３は、両端部５５，５６が後方に向かって湾曲し、前駆動輪３０，３０の外端５７，５７近傍まで延びている。
【００４６】
ガード部材５３の中央には、ガイド輪６０がネジ６１によって回動自在に取り付けられている。ガイド輪６０は、枠体２の幅程度の外径を有し、ホイール６２と、ホイール６２に嵌着されたゴム環６３とからなっている。このガイド輪６０は、ガード部材５３の前端から突出している。
【００４７】
前バンパー５０の取付アーム５１，５２の後端には差込部６５，６６が形成され、この差込部６５，６６にはネジ通し穴６７，６９が形成されている。この差込部６５，６６は、下枠体７の前端のネジ穴７１，７２周辺に形成された矩形状の差込段部７３，７５に差し込まれ、下枠体７と上枠体５に挟み込まれる。前バンパー５０は、取付アーム５１，５２の差込部６５，６６が、下枠体７の差込段部７３，７５に差し込まれ、ネジ９，９が上
枠体５の前部に形成されたネジ通し穴７６，７７、差込部６５，６６のネジ通し穴６７，６９に通して下枠体７のネジ穴７１，７２にねじ込まれることによって、枠体２に固定されている。
【００４８】
枠体（本体）２の後部には、湾曲した後バンパー８０が設けられている。後バンパー８０は、一体成形によって形成されており、一対の取付アーム８１，８２と、取付アーム８１，８２の後端に接続されたガード部材８３とからなっている。ガード部材８３は、両端部８５，８６が前方に向かって湾曲し、後遊動輪４７，４７の外端８７，８７近傍まで延びている。ガード部材８３の中央下端には、取付凹部８９が形成され、この取付凹部８９に前記スイッチ２２が固着されている。
【００４９】
後バンパー８０の取付アーム８１，８２の前端には取付部９１，９２が形成され、この取付部９１，９２にはネジ通し穴９３，９４が形成されている。後バンパー８０は、取付アーム８１，８２の取付部９１，９２が、上枠体５の上部に重ねられ、ネジ９，９が取付部９１，９２のネジ通し穴９３，９４、上枠体５の後部に形成されたネジ通し穴９５，９６に通して下枠体７の後部に形成されたネジ穴９７，９８にねじ込まれることによって、枠体２に固定されている。
【００５０】
ボディ３は、一体成形によって形成されており、前駆動輪３０，３０を覆う前輪カバー３ａ，３ａと後遊動輪４７，４７を覆う後輪カバー３ｂ，３ｂを両側に備えている。後輪カバー３ｂ，３ｂの裏面には、ネジ穴４ａ，４ａを備えたボス４，４が突設されている。下枠体７の両側には、前記ボス４，４を差し込むことができる差込穴８ａ，８ａを備えた取付部８，８が突設されている。この取付部８，８には、差込穴８ａ，８ａと同心のネジ通し穴８ｂ，８ｂが形成されている。ボディ３は、これのボス４，４を取付部８，８の差込穴８ａ，８ａに差し込み、ネジ１４，１４をネジ通し穴８ｂ，８ｂを通してボス４，４のネジ穴４ａ，４ａにねじこむことによって、枠体２に取り付けられている。
【００５１】
走行玩具１は、ボディ３が流線型に形成され、ボディ３を枠体２に取り付けると、枠体２、前駆動輪３０，３０、後遊動輪４７，４７が覆われることになり、ガイド輪６０，前輪カバー３ａ，３ａ、後輪カバー３ｂ，３ｂ、後バンパー８０が他の走行玩具１又は側壁等の接触部分となる。
【００５２】
走行路の実施例を図１１乃至図１３に基づいて説明する。走行路１００は、走行玩具１を走行させるものであって、直線走行部品１０１と、曲線走行部品１０５と、バンク部品１１５とからなっている。直線走行部品１０１は、走行玩具１が２台並んで走行することができる程度の幅を有する走行面１０２と、走行玩具１が走行面１０２からそのまま走行できるように走行面１０２の両端に連接された湾曲側壁１０３，１０４とで形成されている。また、曲線走行部品１０５も、走行玩具１が２台並んで走行することができる程度の幅を有する走行面１０６と、走行玩具１が走行面１０６からそのまま走行できるように走行面１０６の両端に連接された湾曲側壁１０７，１０８とで形成されている。
【００５３】
直線走行部品１０１及び曲線走行部品１０５は、両端縁に半環状のフランジ１１１が形成され、このフランジ１１１の所定位置にネジ通し穴が形成されている。曲線走行部品１０５の外側の湾曲側壁１０７の上端にもフランジ１０９が形成され、このフランジ１０９の所定位置にネジ通し穴が形成されている。バンク部品１１５は、湾曲した側壁１１６によって形成され、両端縁にフランジ１１７が形成され、このフランジ１１７の所定位置にネジ通し穴が形成されている。さらに、バンク部品１１５は、下端にもフランジ１１９が形成され、このフランジ１１９の所定位置にネジ通し穴が形成されている。なお、直線走行部品１０１と曲線走行部品１０５の側壁１０３，１０４，１０７，１０８は、曲率半径Ｒ１が等しく且つバンク部品１１５の側壁１１６の曲率半径Ｒ２よりも小さく形成されて
いることが望ましい。
【００５４】
直線走行部品１０１同士又は曲線走行部品１０５同士若しくは直線走行部品１０１と曲線走行部品１０５は、それぞれのフランジ１１１・・を重ね合わせ、ネジ通し穴にネジ１２１を通してナット１２２で締め付けることによって連結される。また、バンク部品１１５同士は、それぞれのフランジ１１７・・を重ね合わせ、ネジ通し穴にネジ１２１を通してナット１２２で締め付けることによって連結される。このバンク部品１１５と曲線走行部品１０５の外側の湾曲側壁１０７は、フランジ１１９及び１０９を重ね合わせ、ネジ通し穴にネジ１２１を通してナット１２２で締め付けることによって連結される。
【００５５】
上記構成の走行玩具１は、スイッチ２２をＯＮにすると、駆動モータ１１が回転し、スイッチ２２をＯＦＦにすると駆動モータ１１の回転が停止する。駆動モータ１１が回転すると、小歯車１２、クラウン歯車２６、前駆動軸２５を介して前駆動輪３０，３０が回転する。この状態で走行玩具１は、上記走行路１００に載せると走行する。走行玩具１は、直線走行部品１０１を走行する場合は、両側壁１０３，１０４が湾曲しているので、一番低い走行面１０２を走行する。また、走行玩具１は、曲線走行部品１０５を走行する場合は、慣性により外側の湾曲側壁１０７又はバンク部品１１５の側壁１１６を走行する。
【００５６】
前駆動輪３０は、ホイール３２が取付ドラム３１に隙間を介して取り付けられているので、図１０に示すように、その隙間により多少揺動するため、ある程度の直進性とキャスター効果が期待できる。前駆動輪３０を前駆動軸２５に完全に固定すると、直進性が高まるため、カーブに対応することができず曲線走行部品１０５上のバンク部品１１５から飛び出ることがあり、逆に前駆動軸２５を揺動自在として前駆動輪３０の操向性を完全自由状態にすると、曲線走行部品１０５の走行面１０６に沿って走行し、曲線走行部品１０５の外側の湾曲側壁１０７又はバンク部品１１５の側壁１１６上を走行しない。しかし、上記構成の前駆動輪３０，３０を有する走行玩具１は、曲線走行部品１０５走行中、キャスター効果によりホイール３２，３２が内側に向くため、バンク部品１１５から飛び出すことなく、曲線走行部品１０５の外側の湾曲側壁１０７又はバンク部品１１５の側壁１１６上を走行することができる。
【００５７】
２台以上の走行玩具１を走行路１００で競争させることができる。速い走行玩具１Ａが遅い走行玩具１Ｂに追いついて追い抜く場合は、図１４に示すように、速い走行玩具１Ａのガイド輪６０が遅い走行玩具１Ｂの後バンパー８０のガード部材８３に接触する。ガード部材８３が湾曲しているので、図１５，１６に示すように、速い走行玩具１Ａはこのガイド輪６０によって遅い走行玩具１Ｂの側方に誘導され、側方から走行玩具１Ｂを追い抜くことができる。なお、速い走行玩具１Ａは、遅い走行玩具１Ｂとボディ３同士が接触して互いに押し合うことがあるが、ボディ３が流線型に形成され、枠体２、前駆動輪３０，３０及び後遊動輪４７，４７が全部カバーされているので、接触しても引っかかることがない。
【００５８】
走行路１００は、走行玩具１が２台並んで走行することができる程度の幅を有する走行面１０２が形成されているので、速い走行玩具１Ａが遅い走行玩具１Ｂをスムーズに追い抜くことができる。走行面１０２が走行玩具１台しか走行できない程度の幅である場合、両側が湾曲側壁１０３，１０４なので、速い走行玩具１Ａが遅い走行玩具１Ｂを追い抜くことができず、団子状態になって走行することになる。
【００５９】
【発明の効果】
以上説明したように、本願発明に係る走行玩具は、次に述べる効果を有している。すなわち、同一走行路内を複数の走行玩具によって走行させ、速い走行玩具が遅い走行玩具に追いついて接触しながら追い抜くことができる。このように、本願発明に係る走行玩具は
、本物の自動車レースのように、一つの走行路内で他の走行玩具と接触しながら競争させることができるので、従来にないリアルな走行をさせることができるという効果がある。
【００６０】
また、本願発明に係る走行玩具は、上記効果に加え、次に述べる効果を有している。すなわち、走行玩具に取り付けられた前輪は取付部分に隙間を有しているので、多少揺動するようになっている。これによって、走行路内で走行玩具が遅い走行玩具をスムーズに追い越すことができるという効果を有している。
【００６１】
また、本願発明の走行玩具は、上記効果に加え次の効果を有している。すなわち、ボディが流線型のように、先端から両側が後方に向かって傾斜するとともに後端から両側が前方に向かって傾斜した形状となってるので、速い走行玩具が遅い走行玩具を追い越す際、速い走行玩具を側方に誘導しまたは遅い走行玩具が誘導されるようになっているので、追い越しの際に互いに接触しても引っかからないという効果を有している。
【００６２】
また、本願発明の走行玩具は、上記効果と同様に次の効果を有している。すなわち、前輪および後輪はカバーされているので、早い走行玩具が遅い走行玩具をスムーズに追い越すことができるという効果を有している。
【００６３】
また、本願発明の走行玩具は、次の効果を有している。すなわち、同一走行路内を複数の走行玩具によって走行させ、速い走行玩具が遅い走行玩具に追いついて接触しながら追い抜くことができる。このように、本願発明に係る走行玩具は、本物の自動車レースのように、一つの走行路内で他の走行玩具と接触しながら競争させることができるので、従来にないリアルな走行をさせることができるという効果を有している。
さらに、上記効果に加え、走行玩具に取り付けられた前輪は取付部分に隙間を有しているので、多少揺動するようになっており、走行路内で走行玩具が遅い走行玩具をスムーズに追い越すことができるという効果を有している。
【図面の簡単な説明】
【図１】走行玩具の一部断面にした側面図である。
【図２】図１の平面図である。
【図３】図１の正面図である。
【図４】ボディを外した走行玩具の平面図である。
【図５】図４の分解平面図である。
【図６】要部裏面図である。
【図７】図４の側面図である。
【図８】駆動輪の要部斜視図である。
【図９】図８の断面図である。
【図１０】駆動輪の動きを説明する説明図である。
【図１１】走行路の平面図である。
【図１２】走行路の正面図である。
【図１３】走行路の要部側面図である。
【図１４】走行玩具の走行状態を説明する説明図である。
【図１５】走行玩具の走行状態を説明する説明図である。
【図１６】走行玩具の走行状態を説明する説明図である。
【符号の説明】
１  走行玩具
２  枠体（本体）
３  ボディ
３ａ  前輪カバー
３ｂ  後輪カバー
４  ボス
４ａ  ネジ穴
５  上枠体
７  下枠体
８  取付部
８ａ  差込穴
８ｂ  ネジ通し孔
９  ネジ
１０  駆動モータ収容室
１１  駆動モータ（動力手段）
１２  小歯車
１３  電池
１４  ネジ
１５  電池収容室
１６  後壁
１７  導電片
１８  係止突起
１９  係止突起
２０  導電スプリング
２１  導電片
２２  スイッチ
２５  前駆動軸
２６  クラウン歯車
３０  前駆動輪
３１  取付ドラム
３２  ホイール
３３  ゴムタイヤ
３４  係止凹部
３５  回転胴
３６  ストッパー
３７  回転円板
３９  係合凸部
４０  孔
４１  側壁
４２  環状壁
４３  取付穴
４５  係合凹部
４６  係止突起
４７  後遊動輪
４９  車軸
５０  前バンパー
５１  取付アーム
５２  取付アーム
５３  ガード部材
５５  端部
５６  端部
５７  外端
６０  ガイド輪
６１  ネジ
６２  ホイール
６３  ゴム環
６５  差込部
６６  差込部
６７  ネジ通し穴
６９  ネジ通し穴
７１  ネジ穴
７２  ネジ穴
７３  差込段部
７５  差込段部
７６  ネジ通し穴
７７  ネジ通し穴
８０  後バンパー
８１  取付アーム
８２  取付アーム
８３  ガード部材
８５  端部
８６  端部
８７  外端
８９  取付凹部
９１  取付部
９２  取付部
９３  ネジ通し穴
９４  ネジ通し穴
９５  ネジ通し穴
９６  ネジ通し穴
９７  ネジ穴
９８  ネジ穴
１００  走行路
１０１  直線走行部品
１０２  走行面
１０３  湾曲側壁
１０４  湾曲側壁
１０５  曲線走行部品
１０６  走行面
１０７  湾曲側壁
１０８  湾曲側壁
１０９  フランジ
１１１  フランジ
１１５  バンク部品
１１６  側壁
１１７  フランジ
１１９  フランジ
１２１  ネジ
１２２  ナット